(57)【要約】      （修正有）【課題】必要な箇所を明るく照射しながら眩しさを感じさせにくくすることができ、更に灯具の先端部が垂れ下がらないようにできる照明装置を提供する。【解決手段】ＬＥＤ３１を有する光源ユニット１０を光の放出部である窓部１８を有する外殻体８に収容した灯具７を、腕部に対し片持ち支持させた電気スタンドにおいて、前記光源ユニット１０の長さ方向両端に軸部３５，３６を設け、これらに対応する軸受部２０，２１を前記外殻体８に設け、前記光源ユニット１０を前記軸部３５，３６の軸線Ｘ回りに回動させるための調節部であるダイヤル３７を、前記外殻体８から露出させて設ける。これによって、前記光源ユニット１０のみの回動で照射方向を調節する。【選択図】図４
0003168966.tif 000002
【実用新案登録請求の範囲】
【請求項１】
腕部と、この腕部に対し片持ち支持された灯具とを有し、この灯具が、光源からの光の放出部を有する外殻体と、この外殻体に収容されると共に発光ダイオードを光源とする光源ユニットとを有して構成される電気スタンドにおいて、
前記光源ユニットの長さ方向の両端に一対の軸部を設け、前記外殻体に一対の軸受部を設けると共に、前記外殻体から露出するように、前記光源ユニットを前記軸部の軸線回りに回動させるための調節部を設けたことを特徴とする電気スタンド。
【請求項２】
前記外殻体の一面に前記放出部を設けると共に、前記調節部を前記外殻体における前記放出部が設けられた面とは異なる面に露出させて設けたことを特徴とする請求項１記載の電気スタンド。
【請求項３】
前記調節部が突起部を有すると共に、この突起部の突出方向が前記光源の光軸と平行となるように、前記突起部を形成したことを特徴とする請求項１記載の電気スタンド。
【考案の詳細な説明】
【技術分野】
【０００１】
本考案は、電気スタンドに関するものであり、特に発光ダイオードを光源として用いた電気スタンドに関するものである。
【背景技術】
【０００２】
従来、この種の電気スタンドとしては、ポール（本願考案の腕部に相当する）の先端部に、細長いランプユニット（本願考案の灯具に相当する）の基端側を接続し、このランプユニット内に、複数個のＬＥＤランプが装着されたＬＥＤ基板を設置したものが知られている（例えば、特許文献１参照。）。このような電気スタンドは、光源であるＬＥＤランプの指向性が狭いため、前記ランプユニットの長さ方向と平行に形成された軸回りに前記ランプユニットを回動させるためのティルティングピボット手段を用いて、前記ランプユニットの向きを適宜調節する必要がある。このように、前記ランプユニットの向きを調節することで、必要な場所に必要な強度の光を効率よく供給することができる。
【先行技術文献】
【特許文献】
【０００３】
【特許文献１】特開２０１０−１８２６６０号公報
【考案の概要】
【考案が解決しようとする課題】
【０００４】
しかしながら、このような電気スタンドは、所謂片持ち状態となるため、机上の広い範囲を照射できるように、前記ランプユニットの長さを長くした場合、このランプユニット自体の重量と、前記ティルティングピボット手段における軸−軸受間の遊びによって、前記ランプユニットの先端側が垂れ下がってしまう虞があった。このような問題を解決するために、前記ティルティングピボット手段を強化すると、このティルティングピボット手段が肥大化してしまい、電気スタンド全体を小型化できるというＬＥＤランプの利点を損なってしまう。また、前記ランプユニットの中央部に前記ティルティングピボット手段を接続する構造も考えられるが、この場合、机上の広い範囲を照射しようとすると、長いポールが必要になるため、電気スタンドが大型化してしまう虞がある。また、特許文献１のような構造では、前記ランプユニットを前記ティルティングピボット手段によって傾斜させた場合、前記ＬＥＤランプから放射された光が使用者の目に入り易く、眩しさを感じさせ易いという問題もあった。
【０００５】
本考案は以上の問題点を解決し、必要な箇所を明るく照射しながら眩しさを感じさせにくくすることができ、更に灯具の先端部が垂れ下がらないようにできる照明装置を提供することを目的とする。
【課題を解決するための手段】
【０００６】
本考案の請求項１に記載の電気スタンドは、腕部と、この腕部に対し片持ち支持された灯具とを有し、この灯具が、光源からの光の放出部を有する外殻体と、この外殻体に収容されると共に発光ダイオードを光源とする光源ユニットとを有して構成される電気スタンドにおいて、前記光源ユニットの長さ方向の両端に一対の軸部を設け、前記外殻体に一対の軸受部を設けると共に、前記外殻体から露出するように、前記光源ユニットを前記軸部の軸線回りに回動させるための調節部を設けたものである。
【０００７】
また、本考案の請求項２に記載の電気スタンドは、請求項１において、前記外殻体の一面に前記放出部を設けると共に、前記調節部を前記外殻体における前記放出部が設けられた面とは異なる面に露出させて設けたものである。
【０００８】
更に、本考案の請求項３に記載の電気スタンドは、請求項１において、前記調節部が突起部を有すると共に、この突起部の突出方向が前記光源の光軸と平行となるように、前記突起部を形成したものである。
【考案の効果】
【０００９】
本考案の請求項１に記載の電気スタンドは、以上のように構成することにより、前記調節部を操作することによって、両持ちされた前記光源ユニットのみが前記軸部の軸線回りに回動し、照射方向を調節することができるので、前記光源ユニットを安定させることができるばかりでなく、前記灯具の外殻体と前記腕部との間に設けられるヒンジ機構の数を減らすことができるので、片持ち支持された前記灯具の先端側が垂れ下がりにくくなるようにすることができる。また、前記光源ユニットの傾斜角度を調節しても、前記放出部の位置が変化しないので、使用者に眩しさを殆ど感じさせないようにすることができる。
【００１０】
なお、前記外殻体の一面に前記放出部を設けると共に、前記調節部を前記外殻体における前記放出部が設けられた面とは異なる面に露出させて設けることで、前記調節部による影が机上等に生じないようにすることができる。
【００１１】
また、前記調節部が突起部を有すると共に、この突起部の突出方向が前記光源の光軸と平行となるように、前記突起部を形成することで、この突起部の向きによって前記光源ユニットの光軸を知ることができるので、照射方向の調節を容易に行うことができる。
【図面の簡単な説明】
【００１２】
【図１】本考案の一実施形態を示す電気スタンドの正面図である。
【図２】同、机天板の左側に取り付けた場合の使用状態を示す正面図である。
【図３】同、机天板の右側に取り付けた場合の使用状態を示す正面図である。
【図４】同、灯具の断面図である。
【図５】同、光源ユニットの光軸を垂直とした状態における灯具の拡大右側面図である。
【図６】同、図５の状態における灯具のＡ−Ａ拡大断面図である。
【図７】同、光源ユニットの光軸を傾斜させた状態における灯具の拡大右側面図である。
【図８】同、図７の状態における灯具のＡ−Ａ拡大断面図である。
【図９】本考案の他の実施形態を示す電気スタンドの灯具の拡大右側面図である。
【図１０】本考案の他の実施形態を示す電気スタンドの灯具の拡大右側面図である。
【図１１】本考案の他の実施形態を示す電気スタンドの灯具の拡大右側面図である。
【図１２】本考案の他の実施形態を示す電気スタンドの灯具の拡大底面図である。
【考案を実施するための形態】
【００１３】
以下、本考案の実施形態について、図１乃至図８に基づいて説明する。なお、本実施形態において、前後及び上下左右は、図１の姿勢に基づいて規定する。１は本考案の電気スタンドである。この電気スタンド１は、電気スタンド本体２と、この電気スタンド本体２を机の天板に固定するためのクランプ３とを有して構成される。前記電気スタンド本体２は、前記クランプ３に固定される基部４と、この基部４に対して下端部が取り付けられた支柱５と、この支柱５の上端部に対して基端が回動自在に取り付けられた腕部６と、この腕部６の先端に片持ち状態で回動自在に取り付けられた灯具７とを有して構成される。そして、前記支柱５は、前記クランプ３を机の天板に固定した状態で、垂直となるように構成される。また、前記腕部６は、垂直となる前記支柱５の軸線Ｙａ回りに回動するように構成される。更に、前記灯具７は、垂直で且つ前記支柱５の軸線Ｙａと平行な軸線Ｙｂ回りに回動するように構成される。
【００１４】
前記灯具７について詳述する。この灯具７は、外殻体８と、点灯手段９と、光源ユニット１０とを有する。前記外殻体８は、上外殻体１１と、下外殻体１２とを有する。これら上外殻体１１と下外殻体１２は、ビス等で一体化される。そして、前記上外殻体１１の基端側上面には、貫通孔１３，１４，１５が形成される。また、前記上外殻体１１の先端側面には、貫通孔１６が形成される。一方、前記下外殻体１２の基端側には、前記腕部６の先端部に設けられた図示しない回動軸を受ける軸受部１７が形成される。また、前記下外殻体１２の中央から先端部にかけての下面には、放出部としての窓部１８が形成される。なお、この窓部１８には、透明な材質からなる透光体１９が取り付けられる。なお、この透光体１９は、通過する光を殆ど拡散させないように、両面を平滑にしても良く、また、通過する光を拡散させるように、少なくとも一面を粗面加工しても良い。更に、前記下外殻体１２における前記窓部１８の基端側付近と先端側付近には、それぞれ基端側軸受部２０と、先端側軸受部２１がビス等で固定される。なお、２２は前記外殻体８を補強するための金属製のフレームである。
【００１５】
前記下外殻体１２の基端側には、前記点灯手段９を構成する回路基板２３がビス等で固定される。また、この回路基板２３の上面に実装された主スイッチ２４及び調光スイッチ２５，２６に対応して、主操作部２７及び調光操作部２８，２９が設けられる。なお、これらの主操作部２７及び調光操作部２８，２９は、それぞれ前記上外殻体１１に形成された前記各貫通孔１３，１４，１５から露出する。
【００１６】
前記光源ユニット１０は、金属製のフレーム３０と、光源としての複数の発光ダイオード（以下、ＬＥＤと略す）３１が実装された光源基板３２と、前記各ＬＥＤ３１の照射側に設けられたレンズ３３と、このレンズ３３を保持させるための保持部３４とを有する。なお、この保持部３４は、その長さ方向の両端に、それぞれ基端側軸部３５と先端側軸部３６とを有する。そして、これらの軸部３５，３６は、共通の軸線Ｘ上に同軸に配置される。前記フレーム３０は、アルミニウム合金等の熱伝導性の良好な金属によって形成されることで、放熱体を兼ねる。そして、前記各ＬＥＤ３１は、前記光源基板３２に、軸線Ｘと平行な方向に並べて実装される。また、前記保持部３４は、前記フレーム３０に対しビス等によって固定される。このように、前記保持部３４を前記フレーム３０に固定することで、前記光源基板３２とレンズ３３は、前記フレーム３０と保持部３４によって挟持される。そして、前記保持部３４と前記フレーム３０で前記光源基板３２が挟持されることによって、この光源基板３２は、前記フレーム３０に対し熱的に接触する。また、前記レンズ３３は、その中央部に凸レンズ部３３Ａを有すると共に、軸線Ｘ方向に沿って断面形状が実質的に変化しない。更に、前記先端側軸部３６には、調節部としてのダイヤル３７が取り付けられる。なお、このダイヤル３７は、前記上外殻体１１の先端側面に形成された前記貫通孔１６を通して、前記先端側軸部３６に固定される。また、前記ダイヤル３７には、突起部３８が一体的に形成される。そして、この突起部３８は、前記各ＬＥＤ３１の光軸Ｌとほぼ平行となるように形成される。
【００１７】
次に、本実施形態の作用について説明する。まず使用者は、前記クランプ３を用いて、前記電気スタンド１を机天板Ｄに取り付ける。なお、前記クランプ３は、前記机天板Ｄの縁部における任意の位置に取り付けることができる。そして、図２に示すように、前記クランプ３を前記机天板Ｄの左側の縁部に取り付けると、前記灯具７における一側７Ａが使用者側となる。一方、図３に示すように、前記クランプ３を前記机天板Ｄの右側の縁部に取り付けると、前記灯具７における他側７Ｂが使用者側となる。このように、前記灯具７が片持ち状態で支持される構造では、灯具７の一側７Ａと他側７Ｂの何れも使用者側となり得る。そして、このような片持ち構造の場合、前記灯具７に加わる重力によって、前記灯具７の先端側が垂れ下がる虞があるものの、本実施形態の場合、比較的重力の影響を受けにくい、垂直に形成された図示しない回動軸及び軸受部１７からなるヒンジ部が一つだけ設けられる構造なので、前記灯具７の先端側を垂れ下がりにくくすることができる。そして、前記主操作部２７を用いて前記主スイッチ２４を操作することで、前記回路基板２３の点灯回路から前記光源ユニット１０の複数のＬＥＤ３１に電力が供給され、これらのＬＥＤ３１が点灯する。そして、前記各ＬＥＤ３１から放射された光は、前記レンズ３３を通過することで屈折し、配光特性が調整された後、前記透光体１９を通過して前記灯具７外に放出される。前記レンズ３３は、前述した通り、凸レンズ部３３Ａを有すると共に、軸線Ｘ方向に沿って断面形状が変化しない。このため、前記ＬＥＤ３１から放射された光は、前記レンズ３３を通過することで、光軸Ｌを中心として、軸線Ｘ方向に対して放射角度が変化せず、この軸線Ｘと直交するＺ方向に対して放射角度が狭くなる。なお、前記光源基板３２が前記保持部３４によって前記フレーム３０に熱的に密着させられることで、前記各ＬＥＤ３１が発生させた熱は、前記光源基板３２及びフレーム３０を経由して放出される。このようにして、前記各ＬＥＤ３１は冷却される。
【００１８】
なお、図６に示すように、前記各ＬＥＤ３１の光軸Ｌが垂直となる状態では、蛍光灯や白熱電球等と比べて相対的に光の指向性が強い前記各ＬＥＤ３１を光源とする本願のような電気スタンド１の場合、前記各ＬＥＤ３１の直下の照度を十分大きくすることができるものの、これらのＬＥＤ３１の直下から離れた位置における照度を十分大きくすることができない虞がある。そして、通常の使用では、前記灯具７を使用者の直上に配置すると、この灯具７が邪魔になってしまう虞がある。そこで、前記ダイヤル３７を摘んで、前記光源ユニット１０を前記軸部３５，３６の軸線Ｘ回りに回動させ、前記各ＬＥＤ３１の光軸Ｌを使用者に向けて傾斜させることで、使用者からやや離れた位置から使用者に向けて斜めに照射して、使用者の前方の近い位置を明るく照射することができる。具体的には、図２に示すように、前記灯具７の一側７Ａが使用者側となる場合、図７に示すように、前記ダイヤル３７を右回りに回動させる。このように前記ダイヤル３７を回動させると、図８に示すように、光軸Ｌが前記灯具７の一側７Ａに向けて傾斜する。一方、図３に示すように、前記灯具７の他側７Ｂが使用者側となる場合、前記ダイヤル３７を左回りに回動させる。このように前記ダイヤル３７を回動させると、光軸Ｌが前記灯具７の他側７Ｂに向けて傾斜する。従って、前記ダイヤル３７を操作することで、前記灯具７の一側７Ａと他側７Ｂのどちらが使用者側となっても、使用者からやや離れた位置から使用者に向けて斜めに照射して、使用者の前方の近い位置を明るく照射することができる。
【００１９】
そして、前記光源ユニット１０は、前記軸部３５，３６が、それぞれ前記下外殻体１２に取り付けられた前記基端側軸受部２０と先端側軸受部２１によって両持ち状態で軸支されるので、安定した状態で回動させることができる。また、前記光源ユニット１０は、前記灯具７の一側７Ａに向けて最大限傾斜させた状態から、前記灯具７の他側７Ｂに向けて最大限傾斜させた状態までの間で、任意の傾斜角度θに調節することができる。従って、前記ダイヤル３７の回動角度θを細かく調節することで、光軸Ｌの傾斜角度θ、即ち照射方向を細かく調節することもできる。また、前記灯具７の外殻体８自体を傾斜させることができないので、前記光源ユニット１０の軸線Ｘ回りの傾斜角度θに依らず、前記灯具７の窓部１８の位置は、下向きのまま変化しない。このため、前記光源ユニット１０の軸線Ｘ回りの傾斜角度θを調節しても、前記ＬＥＤ３１から前記レンズ３３及び透光体１９を通過して使用者の目に直接入る光は殆ど変化しない。従って、前記光源ユニット１０の軸線Ｘ回りの傾斜角度θを調節しても、使用者に眩しさを殆ど感じさせないようにすることができる。
【００２０】
なお、前記ダイヤル３７が前記外殻体８の先端部に設けられるので、前記ＬＥＤ３１から放射された光によって、前記ダイヤル３７の影が生じにくい。特に、前記ダイヤル３７の下端が前記外殻体８の下端よりも下方に突出しなければ、前記ダイヤル３７の影は生じない。また、前記突起部３８が光軸Ｌとほぼ平行であることで、前記ＬＥＤ３１による大まかな照射方向を前記突起部３８の向きで知ることができる。特に、前記突起部３８が、前記ダイヤル３７の軸線Ｘよりも下方に設けられた構造であれば、前記ＬＥＤ３１による大まかな照射方向を、前記突起部３８の向きによって、より直感的に知ることができる。そして、このように前記ダイヤル３７に突起部３８が形成されることで、前記ダイヤル３７を操作する際に指を掛けやすいので、前記ダイヤル３７の回動操作を行いやすい。
【００２１】
以上のように、本考案は、ＬＥＤ３１を光源とする光源ユニット１０を光の放出部としての窓部１８を有する外殻体８に収容した灯具７を、腕部６に対し片持ち支持させた電気スタンド１において、前記光源ユニット１０の長さ方向の両端に一対の軸部３５，３６を設け、前記外殻体８に一対の軸受部２０，２１を設けると共に、前記光源ユニット１０を前記軸部３５，３６の軸線Ｘ回りに回動させるための調節部としてのダイヤル３７を、前記外殻体８から露出させて設けたことによって、両持ちされた前記光源ユニット１０のみが軸線Ｘ回りに回動し、照射方向を調節することができるので、前記光源ユニット１０を安定させることができるばかりでなく、前記灯具７の外殻体８と前記腕部６との間に設けられるヒンジ機構の数を減らして、片持ち支持された前記灯具７の先端側が垂れ下がりにくくなるようにすることができるものである。また、光軸Ｌの傾斜角度θに依らず、窓部１８の位置が、下向きのまま変化しないので、前記光源ユニット１０の軸線Ｘ回りの傾斜角度θを調節しても、使用者に眩しさを殆ど感じさせないようにすることができるものである。
【００２２】
また、本考案は、前記外殻体８の下面を構成する下外殻体１２に前記窓部１８を設けると共に、前記ダイヤル３７を前記外殻体８の先端部を構成する上外殻体１１に露出させて設けることで、前記ダイヤル３７による影が机天板Ｄ上等に生じないようにすることができるものである。
【００２３】
また、前記ダイヤル３７に突起部３８を一体的に形成すると共に、この突起部３８の突出方向が前記ＬＥＤ３１の光軸Ｌと平行としたことで、この突起部３８の向きによって前記光源ユニット１０の光軸Ｌを知ることができるので、照射方向の調節を容易に行うことができるものである。
【００２４】
なお、本考案は以上の実施形態に限定されるものではなく、考案の要旨の範囲内で種々の変形実施が可能である。例えば、上記実施形態では、調節部としてのダイヤルを外殻体の先端部に露出させたが、図９に示すように、外殻体４０の上面にダイヤル４１を露出させても良く、また、図１０に示すように、外殻体５０の下面にダイヤル５１を露出させても良く、更に、外殻体のその他の面（基端部や一側、他側等）にダイヤルを露出させても良い。また、上記実施形態では、調節部をダイヤルとしたが、図１１に示すように、外殻体６０から露出する調節部をレバー６１としても良く、また、図１２に示すように、外殻体７０から露出する調節部をスライド操作部７１としても良い。
【符号の説明】
【００２５】
１  電気スタンド
６  腕部
７  灯具
８，４０，５０，６０，７０  外殻体
１０  光源ユニット
１８  窓部（放出部）
２０  基端側軸受部
２１  先端側軸受部
３１  ＬＥＤ（光源）
３５  基端側軸部
３６  先端側軸部
３７，４１，５１，  ダイヤル（調節部）
３８  突起部
６１  レバー（調節部）
７１  スライド操作部（調節部）
Ｘ  軸線
Ｌ  光軸
【図１】
0003168966.tif 000003
【図２】
0003168966.tif 000004
【図３】
0003168966.tif 000005
【図４】
0003168966.tif 000006
【図５】
0003168966.tif 000007
【図６】
0003168966.tif 000008
【図７】
0003168966.tif 000009
【図８】
0003168966.tif 000010
【図９】
0003168966.tif 000011
【図１０】
0003168966.tif 000012
【図１１】
0003168966.tif 000013
【図１２】
0003168966.tif 000014